(57)【要約】【課題】使用者の多種多様な爪面形状や爪面の各部のサイズに合わせて爪面を簡易且つ綺麗に装飾でき、従来のように多種類のパターンを用意しなくて済むネイルアートシートを提供する。【解決手段】１５〜５０μの厚さのポリエチレンフィルムからなるベースシート５と、その一面に積層形成され、銀塩方式により写真画像が内部に現像され該写真画像を表面に表示した写真乳剤層９と、該ベースシート５の他面に積層形成された粘着層１１とを具える装飾シート１２を有する。装飾シート１２の粘着層１１に剥離シート１５が剥離可能に貼付されている。【選択図】図３
2008036200.tif 000002
【特許請求の範囲】
【請求項１】
爪面を装飾するために用いるネイルアートシートであって、１５〜５０μの厚さのポリエチレンフイルムからなるベースシートと、その一面に積層形成され、銀塩方式により写真画像が内部に現像され該写真画像を表面に表示した写真乳剤層と、該ベースシートの他面に積層形成された粘着層とを具える装飾シートの、該粘着層の前記爪面に対する粘着面に剥離シートが剥離可能に貼付されていることを特徴とするネイルアートシート。
【請求項２】
前記写真乳剤層の表面に、透明樹脂の保護層が積層形成されていることを特徴とする請求項１記載のネイルアートシート。
【請求項３】
爪面を装飾するために用いるネイルアートシート用の基材シートであって、１５〜５０μの厚さのポリエチレンフイルムからなるベースシートと、その一面に積層形成され銀塩方式により現像された写真乳剤層と、該ベースシートの他面に積層形成された粘着層とを具える装飾シートの、該粘着層の前記爪面に対する粘着面に剥離シートが剥離可能に貼付されていることを特徴とするネイルアートシート用の基材シート。
【発明の詳細な説明】
【技術分野】
【０００１】
本発明は、爪面を装飾するために用いるネイルアートシートに関するものであり、又、インクジェットプリンタ等によりプリント等してネイルアートシートを作製するためのネイルアートシート用の基材シートに関するものである。
【背景技術】
【０００２】
手や足の爪に装飾を施す従来のネイルアートは、マニキュア塗料を用いて手作業で爪面に所望模様を描くことが一般的であったが、比較的簡単な模様であればいざ知らず複雑な模様を描くことは困難であった。かかる場合は、専門家にネイルアートを施してもらうのが一般的であったが、そのために多大の費用と時間を要する問題があった。
【０００３】
そこで近年、爪面に貼着することによって爪を装飾できるようにしたネイルアートシートが各種提案されている。かかるネイルアートシートの一例として、特許文献１（特開平９−３２２８１８号公報）や特許文献２（実用新案登録第３０７９５８３号公報）に記載のものが提案されている。これらのネイルアートシートは、使用者の爪面の形状やサイズが多種多様であることに鑑み、これをパターン化して設定した何種類もの装飾パターンが形成されており、自分の爪面の形状やサイズに最も近い装飾パターンを選択して使用できるものであった。
【０００４】
しかしながら、使用者が自分の爪面の形状やサイズに最も近い装飾パターンを選択する作業は煩雑であった。又、自分の爪面に適合した装飾パターンが存在しない場合には、比較的近いものを選択してこれを爪面に貼着した後に、爪面の縁からのはみ出し部分を鋏や爪切り等で慎重にサイズ調整を行いながら切除する必要があったが、このような切除作業には多くの手間と時間を要する問題があった。
【０００５】
このような問題点を極力解消せんとするネイルアートシートとして特許文献３（実用新案登録第３０８５２９７号公報）が開示するものが提案されている。該ネイルアートシートは、爪面の形状を成す絵模様部の基部に連ねてメジャー部を印刷してなる装飾パターンが多種類形成されたものであった。該ネイルアートシートによるときは、自分の指の爪の寸法を通常のメジャーで測定してこれを記憶しておくことにより、前記装飾パターンに設けられているメジャー部によって装飾パターンの幅を自分の爪の横幅の寸法に合わせ、該装飾パターンの両側部分を鋏で切り取るもので、装飾パターンの幅を自分の爪の横幅に合わせ易くしたものであった。しかしながら、自分の爪の寸法を通常のメジャーで測定した上で、装飾パターンの横幅を前記メジャー部によって正しく寸法設定し該装飾パターンの両側部分を切り取るという一連の作業を行なうことはかなり面倒であった。
【０００６】
【特許文献１】特開平９−３２２８１８号公報
【特許文献２】実用新案登録第３０７９５８３号公報
【特許文献３】実用新案登録第３０８５２９７号公報
【発明の開示】
【発明が解決しようとする課題】
【０００７】
本発明は、前記従来の問題点に鑑みて開発されたものであり、爪面に貼着された後における爪面の縁からのはみ出し部分を容易に切除でき、これにより、従来のように多種類の装飾パターンを用意しなくても使用者の多種多様な爪面形状や爪面の各部のサイズに容易に応じ得るネイルアートシートの提供を課題とするものである。又、該ネイルアートシートによる爪面の装飾作業手間を削減し得るネイルアートシートの提供を課題とするものである。更に、インクジェットプリンタ等によりプリント等して独自のネイルアートシートを作製できるネイルアートシート用の基材シートの提供を課題とするものである。
【課題を解決するための手段】
【０００８】
前記課題を解決するため本発明は以下の手段を採用する。
即ち本発明に係るネイルアートシートは、爪面を装飾するために用いるネイルアートシートであって、１５〜５０μの厚さのポリエチレンフイルムからなるベースシートと、その一面に積層形成され、銀塩方式により写真画像が内部に現像され該写真画像を表面に表示した写真乳剤層と、該ベースシートの他面に積層形成された粘着層とを具える装飾シートの、該粘着層の前記爪面に対する粘着面に剥離シートが剥離可能に貼付されていることを特徴とするものである。
【０００９】
前記ネイルアートシートにおいて、前記写真乳剤層の表面に透明樹脂の保護層を積層形成するのがよい。
【００１０】
本発明に係るネイルアートシート用の基材シートは、爪面を装飾するために用いるネイルアートシート用の基材シートであって、１５〜５０μの厚さのポリエチレンフイルムからなるベースシートと、その一面に積層形成され銀塩方式により現像された写真乳剤層と、該ベースシートの他面に積層形成された粘着層とを具える装飾シートの、該粘着層の前記爪面に対する粘着面に剥離シートが剥離可能に貼付されていることを特徴とするものである。
【発明の効果】
【００１１】
本発明は以下の如き優れた効果を奏する。
(1) 本発明に係るネイルアートシートは、写真乳剤層が一面に積層形成され且つ他面に粘着層が積層形成されるベースシートを１５〜５０μの厚さのポリエチレンフイルムによって構成しているため、前記装飾シートは、軽い押圧力を加えながら擦られることによって容易に裁断され得、これにより、装飾シール（装飾シートそのもの又は、該装飾シートの一部分）を爪面に貼着した後における爪面の縁からのはみ出し部分の除去が容易となる。従って本発明によるときは、装飾シールの縁と爪面の縁が合致した状態で該装飾シールを爪面に容易にしかも見栄えよく貼着できることとなる。
かかることから本発明によるときは、従来のように、使用者の多種多様な爪面形状や爪面の各部サイズに合わせて多種類の装飾パターンを用意する必要がなく、ネイルアートシートのコスト低減を期し得るばかりか、多くのパターンの中から所望パターンを選択しなければならないといった煩雑さがない。しかも、爪面の縁からのはみ出し部分を鋏や爪切り等で慎重にサイズ調整を行いながら切除したり、メジャー部を基に装飾シールの横幅を調整しなければならないといった面倒さもない。
【００１２】
(2) 又前記のように、ベースシートを極薄の１５〜５０μの厚さのポリエチレンフイルムよって構成しているため、装飾シールを爪面に貼着した状態において違和感が殆どなく、爪と一体感を有する美しい装飾を爪面に施すことができる。
更に、爪面を装飾する写真画像は銀塩方式により写真乳剤層の内部に現像されているので、精密な画像部で爪面を効果的に装飾できることとなる。
【００１３】
(3) 写真乳剤層の表面に透明樹脂の保護層を積層形成する場合は、装飾シールを爪面に貼着した後におけるトップコート塗り付け手間を要さず、ネイルアートシートを使用した爪面の装飾をより手軽に行い得ることとなる。
【００１４】
(4) １５〜５０μの厚さのポリエチレンフイルムからなるベースシートの一面側に、銀塩方式によって現像された写真乳剤層を形成すると共に、該ベースシートの他面側に粘着層を積層形成し、該粘着層に剥離シートを剥離可能に貼着してなるネイルアートシート用の基材シートによるときは、該現像された写真乳剤層の表面にインクジェットプリンタ等で自由に絵柄部等を形成して独自のネイルアートシートを作製できる利点がある。
【実施例１】
【００１５】
図１において本発明に係るネイルアートシート１は、手や足の爪面や付け爪の爪面を装飾するために用いるものであり、図２は、人の手の親指２の爪面３に後述の装飾シール６５を貼着して該爪面３を装飾した状態を示している。該ネイルアートシート１は、図３の拡大断面図に示すように、１５〜５０μの厚さのポリエチレンフイルムからなるベースシート５と、その一面６に積層形成され、銀塩方式により写真画像が内部に現像され該写真画像（以下画像部７という）（図１）を表面に表示した写真乳剤層９と、該ベースシート５の他面１０に積層される粘着層１１とを具える装飾シート１２の、該粘着層１１の前記爪面３に対する粘着面１３に、該粘着面１３に汚れや埃が付着して粘着力が弱くなるのを防止する剥離シート１５が剥離可能に貼付されてなるものである。なお、図３における各部の厚さは実際の寸法比ではない。
【００１６】
前記ベースシート５は、本実施例においては例えば４０μと極めて薄いポリエチレンフイルムからなり、伸縮性と柔軟性を有する。そして、このように極薄であることから、例えば図４に示すような押圧裁断具１６の先端押圧部１７によって軽い押圧状態で擦られることにより容易に裁断され得る。かかるポリエチレンとしては、例えば、高密度ポリエチレン（ＨＤＰ）、低密度ポリエチレン（ＬＤＰ）、又はその混合物を使用することができる。
【００１７】
又前記写真乳剤層９は、本実施例においては、銀塩方式によりカラー写真画像が内部に現像されその画像部７を表面に表示させることのできるものであり、より具体的には、例えば塩化銀や臭化銀、塩臭化銀、沃臭化銀、塩沃臭化銀等のハロゲン化銀写真乳剤層であって、レーザー走査露光方式による発色特性に適したものである。
【００１８】
そして、前記写真乳剤層９に前記画像部７を形成するには、風景や植物、人物、動物、絵画、イラスト等の好みの画像をカメラで撮影したりスキャナーで読み取る等して、これらをデジタルデータとして写真画像を作成し、写真乳剤層９に現像させて行う。
【００１９】
前記粘着層１１は、人体への影響が少なく、前記ポリエチレンフイルムを爪面に安定的に保持させることのできる各種の粘着剤によって形成され、例えば、アクリル酸エステル共重合体で形成されている。そして該粘着層１１に、紙や樹脂フイルム等からなる剥離シート１５が剥離可能に貼付されている。
【００２０】
図１に示すネイルアートシート１にあっては、前記写真乳剤層９に、例えば幾何学模様からなる画像部７が例えば４列３段で大中小３種類を取り混ぜて現像されている。これらの画像部７は、本実施例においては、親指の爪面を装飾する大サイズ画像部７ａと、人指し指や中指、薬指の爪面を装飾する中サイズ画像部７ｂと、小指の爪面を装飾する小サイズ画像部７ｃからなり、該画像部７の周辺に余白部２０が設けられている。そして各画像部７は、対応の爪面３の全体に被ってその周縁部分２１が爪面３の縁２２（図９）から稍はみ出す大きさに設定されている。
【００２１】
図５は、前記ネイルアートシート１を連続的に製造する製造工程を説明するものであり、完成品としてのテープ状のネイルアートシート１が製品巻取りローラ２３に巻き取られてシートロール２５が形成されるようになっている。このシートロール２５が巻戻されて所要長さにカットされることにより、図１に示すような矩形シート状のネイルアートシート１が形成される。
【００２２】
図５、図６（Ａ）において符号３１は積層フイルムを示し、該積層フイルム３１は、前記写真乳剤層９にレーザー露光で写真画像を焼付けしこの焼付したものを現像して前記画像部が表面に表示されてなる現像済みフイルム２７と、その裏面２９に貼付された支持紙３０とからなる。そして図５における符号２６は、該積層フイルム３１がフイルムローラ３２に巻回された積層フイルムロールを示し、該積層フイルムロール２６から巻き戻された積層フイルム３１は、前記シートロール２５に向けて走行する。その途中で、前記保護紙３０は前記現像済みフイルム２７から剥がされ、ローラ３３，３４を経て支持紙巻取りローラ３５で巻き取られる。
【００２３】
その後、前記現像済みフイルム２７は、図５、図６（Ｂ）に示すように、第１の挾持ローラ３６，３６間に導入される。この際、該現像済みフイルム２７の裏面２８に、剥離紙３８付き粘着テープ３９の粘着層１１の表面４１が貼付されると共に、該現像済みフイルム２７の表面４２に、該現像済みフイルムの走行が不安定化してフイルム面にしわがよったりするのを防止する目的で捨紙４３が積重される。そして、現像済みフイルム２７と剥離紙付き粘着テープ３９と捨紙４３の三者が前記第１の挾持ローラ３６，３６間で挾持状態とされるのである。そして、該第１の挾持ローラ３６，３６を出た直後に、前記剥離紙３８が前記粘着層１１から剥がされ、該剥離紙３８が剥離紙巻取りローラ４５で巻き取られる。
【００２４】
その後、前記現像済みフイルム２７の両面に前記粘着層１１と捨紙４３が積重されてなる積重シート状物４６は、図５、図６（Ｃ）に示すように、第２の挾持ローラ４７，４７間に導入されるのであるが、この際、該粘着層１１の裏面４８に剥離シート１５が貼付され、該積重シート状物４６と該剥離シート１５が前記第２の挾持ローラ４７，４７間で挾持状態とされる。そして該第２の挾持ローラ４７，４７を出た直後に前記捨紙４３が分離され、該捨紙４３は、ローラ５３，５５，５６を経て捨紙巻取りローラ５７で巻き取られると共に、完成品としてのテープ状のネイルアートシート１が前記のように製品巻取りローラ２３で巻き取られるのである。
【００２５】
次に、前記ネイルアートシート１の使用方法を、親指２の爪面３を画像部７で装飾する場合について、図７〜１１に基づいて説明する。なお図７〜１１においては、前記画像部７が省略されている。先ず、前記ネイルアートシート１における前記画像部７の中から前記大サイズ画像部７ａを選択し、該選択した画像部７ａを囲むように切れ目５９を入れ、該画像部７ａを前記剥離シート１５から分離させる。
【００２６】
その際、前記押圧裁断具１６の先端押圧部１７（図４）を前記装飾シート１２の表面６０に軽く押し当て、該押圧部１７を、図１に一点鎖線で示す囲み線１６に沿って擦り動かす。このとき、爪面３の根元側に位置する部分では、図７（Ａ）に示すように、該画像部７の基端縁部分６２で、爪の甘皮の縁６３（図８）に略合わせて擦り動かして装飾シート１２に切れ目５９ａ（図７（Ａ））を入れるのがよい。そして残りの縁部分においては、前記余白部２０を若干含むように、該画像部７の縁６４（図１）に沿って前記と同様に切れ目５９ｂを入れる。このような切れ目５９ａ，５９ｂは、ネイルアートシート１を構成する前記ベースシート５が４０μの極薄に形成されているため、前記先端押圧部１７による押圧裁断によって容易に形成できる。図７（Ｂ）は前記剥離シート１５から剥がされた装飾シール６５を示すものである。
【００２７】
該装飾シール６５を前記爪面３に貼着するに際しては、先ず図８〜９に示すように、その基端縁６６を前記甘皮の縁６３に合わせて爪面３に押し当てる。その後、該装飾シール６５の先側部分６７を図９に矢印Ｆ１で示すように爪の先方向に引っ張りながらその中央部６９を爪面３の中央部７０に押し当てて貼着すると共に、該装飾シール６５の左右の側部分７１，７１を図９に矢印Ｆ２，Ｆ２で示すように爪面３の左右方向に引っ張りながらその両側部７２，７２を爪面３の左右側部７３，７３に押し当てて貼着する。これにより、装飾シール６５の表面にしわを発生させることなく装飾シール６５を爪面３に貼着できる。
【００２８】
このようにして装飾シール６５を爪面３に貼着した後、該爪面３からのはみ出し部分７５を該爪面３の輪郭の形状に沿って裁断するのであるが、その際、先ず、前記押圧裁断具１６の先端押圧部１７を、図１０に太線で示す爪面の両側の輪郭線７６，７６に軽く押し当てた状態で該輪郭線７６，７６に沿って何回か擦り動かし、該装飾シール６５を該輪郭線７６，７６に沿って裁断する。又、爪面３の先端側においては、該爪面３の先端縁７７に該装飾シール６５を押し当てるように前記先側部分６７の表面を紙やすり等で軽く擦り、該装飾シール６５を該先端縁７７に沿って裁断する。これらの押圧裁断は、前記ベースシート５が４０μの極薄のポリエチレンフイルムからなるため容易にしかも綺麗に行なわれる。
【００２９】
その後、図１１に示すように、爪面３の輪郭からのはみ出し部分７５を除去すると、図２に示すように、装飾シール６５の縁７９と爪面３の縁８０が合致した状態で該装飾シール６５が爪面３の全体に貼着され、これにより、爪面３が前記画像部７で装飾されることになる。そして、このように貼着された装飾シール６５は、前記ベースシート５が４０μの極薄のポリエチレンフイルムからなるため、貼着状態の違和感が殆どなく、爪と一体感を有する美しい装飾を爪面に施すことができる。
【００３０】
その後必要に応じ、図１２に示すように、前記装飾シール６５の前記写真乳剤層９の表面にトップコート用塗料を塗布してトップコート層８１を形成すると、該トップコート層８１を透して前記画像部７が見えることになる。該トップコート用塗料は、通常の美爪やネイルアートに使用されているトップコート用塗料であって、貼着された装飾シール６５を保護し、前記画像部１９の見栄えをより良好とする。
【００３１】
図１３は、前記ネイルアートシート１から鋏等で切り取られた、所望の画像部７を含むピース片８２を示すものである。該ピース片８２は、該画像部７の周辺に若干の余白部２０が設けられた装飾シール６５の粘着層１１に剥離シート１５が貼付された構成を有しており、このピース片８２も、本発明に係るネイルアートシート１の一態様である。
【００３２】
かかるネイルアートシート１の使用方法を、親指２の爪面３を画像部７で装飾する場合を例にとって説明すれば、先ず、前記ピース片８２の前記剥離シート１５を剥がす。これによって図１３（Ｃ）に示すような、前記と同様の装飾シール６５が形成される。該装飾シール６５を用いて爪面３を装飾する作業工程は前記と略同様であるが、本実施例においては図１４に示すように、爪面３の全周縁に前記余白部２０が存するように該爪面３に装飾シール６５を被せ、これを爪面３に貼着する。この際、図９に示すと同様にして、該装飾シール６５を、爪の先方向や左右方向に適宜引っ張って前記ベースシート５を伸張させつつ貼着する。
【００３３】
このようにして装飾シール６５を爪面３に貼着した後、爪面３からのはみ出し部分７５の表面の、図１４に示す爪面３の輪郭に沿うＵ字状の太線８３部分で、前記押圧裁断具１６の先端押圧部１７を擦り動かし、該装飾シール６５を、該Ｕ字状の太線に沿って裁断する。又、爪面３の先端側においては、該爪面３の先端縁７７に該装飾シール６５を押し当てるように先側部分６７の表面を紙やすり等で軽く擦り、該装飾シール６５を該先端縁７７に沿って裁断する。これらの押圧裁断は、前記ベースシート５が４０μの極薄のポリエチレンフイルムからなるため容易にしかも綺麗に行うことができる。
【００３４】
その後、図１５に示すように、爪面３の輪郭からのはみ出し部分７５を除去すると、図２に示すと同様にして、装飾シール６５の縁と爪面３の縁が合致した状態で該装飾シール６５が爪面３の全体に貼着され、これにより、爪面３が前記画像部７で装飾されることになる。その後必要に応じ、前記装飾シール６５の前記写真乳剤層９の表面にトップコート用塗料を塗布してトップコート層を形成する。
【００３５】
図１６は、本発明に係るネイルアートシート用の基材シート８３の実施例を示すものであり、例えばインクジェットプリンタ用のプリント用紙として構成されている。該基材シート８３は、１５〜５０μの厚さのポリエチレンフイルムからなるベースシート５と、その一面６に積層形成され銀塩方式により現像された写真乳剤層９と、該ベースシート５の他面側１０に積層される粘着層１１とを具える装飾シート１２の、該粘着層１１の前記爪面３に対する粘着面１３に、該粘着面１３に汚れや埃が付着して粘着力が弱くなるのを防止できる剥離シート１５が剥離可能に貼付されてなるものである。ここに、現像された写真乳剤層９は、該写真乳剤層９を露光しないで現像した場合と、該写真乳剤層９を露光して現像した場合の二種類を含むものであり、露光しないで現像した場合は写真乳剤層９の表面が白色を呈する。一方露光して現像した場合は、当てる光線に応じて、写真乳剤層９の表面全体が青系や赤系等の白色以外の色を呈するものとなし得、又、適宜の地模様等を表すことができる。
【００３６】
かかる構成の基材シート８３をインクジェットプリンタでプリントすると、現像された写真乳剤層９の表面８４に絵柄部等が印刷された独自のネイルアートシート１が作製されることになる。このように作製されたネイルアートシート１は、前記と同様にして爪面３の装飾に用いることができる。
【００３７】
又、かかる構成を有する基材シート８３の前記現像された写真乳剤層９の表面８４に、インクジェットプリンタ以外のプリンタやカラーコピー機、白黒コピー機等を用いて絵柄部等を形成することによりネイルアートシート１を作製することもある。なお、インクジェットプリンタ等で絵柄部等を形成する際に、にじみを防止する目的で、前記現像された写真乳剤層９の表面８４ににじみ防止塗料を塗布しておくこともある。
【実施例２】
【００３８】
本発明は、前記実施例で示したものに限定されるものでは決してなく、「特許請求の範囲」の記載内で種々の設計変更が可能であることはいうまでもない。その一例を挙げれば次のようである。
【００３９】
(1) 図１７は、本発明に係るネイルアートシート１の他の実施例を示すものであり、前記写真乳剤層９の表面に、液体ラミネート等の透明な樹脂塗料を塗布して透明樹脂の保護層８５が積層形成されている。該保護層８５は、前記のようにトップコート用塗料を塗布したと同様の仕上がり状態を形成するものであり、その厚さは、該保護層８５の表面に前記押圧裁断具１６の先端押圧部１７を押し当てて擦り動かすことにより、前記装飾シール６５を押圧裁断できるように設定される。このように保護層８５を予め形成しておくことにより、画像部７を保護できるのはもとより、トップコート用塗料を塗布する手間を削減でき、ネイルアートシートを使用した爪面の装飾をより手軽に行い得ることとなる。
【００４０】
(2) 前記画像部７の大きさは、爪面３の全体を装飾するように設定されることの他、図１８に示すように、爪面３の中央部分等の一部にワンポイント装飾を施し得るように設定されることもある。又、本発明に係るネイルアートシート１は、画像部７の複数が独立配置状態で写真乳剤層９に現像されることの他、図１９に示すように、所定パターンが繰り返される状態で、或いは、模様が連続する状態で写真乳剤層９に現像されることもある。かかる構成のネイルアートシート１を用いて爪面３を装飾する要領は前記と同様である。図１８、図１９に示す符号８２は、該ネイルアートシート１から鋏等で切り取られた、所望の画像部７を含むピース片であり、このピース片８２も、本発明に係るネイルアートシートの一態様である。
【００４１】
(3) 前記写真乳剤層９は、白黒写真感光材料層を用いて構成されてもよい。
【００４２】
(4) なお、本発明に係る前記基材シート８３は、図２０に示すように、１５〜５０μの厚さのポリエチレンフイルムからなるベースシート５の一方の面に粘着層１１を設け、該粘着層１１の前記爪面３に対する粘着面１３に剥離シート１５を剥離可能に貼付したものとして構成してもよい。この場合は、該ポリエチレンフイルムの他の面に、インクジェットプリンタ等によって絵柄部等を形成してネイルアートシートを作製する。
【図面の簡単な説明】
【００４３】
【図１】本発明に係るネイルアートシートを示す平面図である。
【図２】ネイルアートシートを用いて親指の爪面を装飾した状態を示す正面図である。
【図３】ネイルアートシートの拡大断面図である。
【図４】装飾シートを押圧裁断する作業工程を説明する断面図である。
【図５】ネイルアートシートの製造工程を説明する説明図である。
【図６】その部分拡大断面図である。
【図７】所要の画像部を含む装飾シールを剥離シートから分離させる工程を説明する斜視図である。
【図８】親指の爪面と装飾シールを示す説明図である。
【図９】装飾シールを爪面に貼着した状態を示す説明図である。
【図１０】爪面の両側の輪郭線で装飾シールを裁断した状態を示す説明図である。
【図１１】爪面の輪郭からのはみ出し部分を除去する工程を説明する説明図である。
【図１２】装飾シールを爪面に貼着した状態を示す断面図である。
【図１３】ネイルアートシートから切り取られたピース片を示す平面図と断面図、該ピース片から剥離シートを剥がして形成した装飾シールを示す断面図である。
【図１４】そのピース片の剥離シートを剥がして形成した装飾シールを親指の爪面に貼着した状態を示す説明図である。
【図１５】爪面の輪郭からのはみ出し部分を除去する工程を説明する説明図である。
【図１６】基材シートを示す断面図である。
【図１７】写真乳剤層の表面に保護層が積層形成されたネイルアートシートを示す断面図である。
【図１８】ワンポイント画像部を有するネイルアートシートを、これから切り取られたピース片と共に示す平面図である。
【図１９】所定パターンが繰り返される状態で設けられた画像部を有するネイルアートシートを、これから切り取られたピース片と共に示す平面図である。
【図２０】基材シートの他の実施例を説明する断面図である。
【符号の説明】
【００４４】
１  ネイルアートシート
３  爪面
５  ベースシート
７  画像部
９  写真乳剤層
１１  粘着層
１３  粘着面
１５  剥離シート
１６  押圧裁断具
１７  先端押圧部
８５  保護層
【図１】
2008036200.tif 000003
【図２】
2008036200.tif 000004
【図３】
2008036200.tif 000005
【図４】
2008036200.tif 000006
【図５】
2008036200.tif 000007
【図６】
2008036200.tif 000008
【図７】
2008036200.tif 000009
【図８】
2008036200.tif 000010
【図９】
2008036200.tif 000011
【図１０】
2008036200.tif 000012
【図１１】
2008036200.tif 000013
【図１２】
2008036200.tif 000014
【図１３】
2008036200.tif 000015
【図１４】
2008036200.tif 000016
【図１５】
2008036200.tif 000017
【図１６】
2008036200.tif 000018
【図１７】
2008036200.tif 000019
【図１８】
2008036200.tif 000020
【図１９】
2008036200.tif 000021
【図２０】
2008036200.tif 000022